(57)【要約】【課題】水および消毒液をそれぞれ異なる圧力で噴出することが可能な洗浄装置付き吸引車の提供。【解決手段】水タンク部２０内の水を吸引し、ホース７０を介して洗浄ノズル７１から噴出させるためのポンプ６と、ポンプ６の吐き出し圧力を制御する圧力制御弁６１と、水タンク部２０からポンプ６へ水を供給する水供給配管２２と、水タンク部２０へ圧力制御弁６１による調圧時の余水を戻す水戻し配管２３と、消毒液タンク部３０からポンプ６へ消毒液を供給する消毒液供給配管３２と、消毒液タンク部３０へ圧力制御弁６１による調圧時の余分な消毒液を戻す消毒液戻し配管３３と、ポンプ６の吸い込み側、水供給配管２２および消毒液供給配管３２に接続される第１三方弁２１ａと、圧力制御弁６のリリーフ側、水戻し配管２３および消毒液戻し配管３３に接続される第２三方弁２１ｂとを備える。【選択図】図５
2009299295.tif 000002
【特許請求の範囲】
【請求項１】
廃水または汚泥を吸引、回収する回収タンク部と、
水を貯留する水タンク部と、
消毒液を貯留する消毒液タンク部と、
前記水タンク部内の水を吸引し、ホースを介して洗浄ノズルから噴出させるためのポンプと、
前記ポンプの吐き出し圧力を制御する圧力制御弁と、
前記水タンク部から前記ポンプへ水を供給する水供給配管と、
前記水タンク部へ前記圧力制御弁による調圧時の余水を戻す水戻し配管と、
前記消毒液タンク部から前記ポンプへ消毒液を供給する消毒液供給配管と、
前記消毒液タンク部へ前記圧力制御弁による調圧時の余分な消毒液を戻す消毒液戻し配管と、
前記ポンプの吸い込み側、水供給配管および消毒液供給配管に接続される第１の三方弁と、
前記圧力制御弁のリリーフ側、水戻し配管および消毒液戻し配管に接続される第２の三方弁と
を備えた洗浄装置付き吸引車。
【請求項２】
前記消毒液供給配管の途中にステンレス鋼のフィルタを備えた請求項１記載の洗浄装置付き吸引車。
【請求項３】
車体の後輪車軸上に、隔壁により内部が仕切られることによりそれぞれ前記回収タンク部と水タンク部とが形成された１つの主タンクが配置され、
車体の前輪車軸および後輪車軸の中間部上に、前記消毒液タンク部を形成する補助タンクが配置された請求項１または２に記載の洗浄装置付き吸引車。
【請求項４】
前記第１の三方弁が前記水供給配管に連通される場合には前記第２の三方弁が前記水戻し配管に連通され、前記第１の三方弁が前記消毒液供給配管に連通される場合には前記第２の三方弁が前記消毒液戻し配管に連通されるように、前記第１の三方弁と前記第２の三方弁とを連動させる連動装置を備えた請求項１から３のいずれかに記載の洗浄装置付き吸引車。
【発明の詳細な説明】
【技術分野】
【０００１】
本発明は、貯留槽から工場廃液、農業廃液やし尿などの廃水や汚泥などをタンクに吸引、回収するための吸引車であって、回収処理後の貯留槽やタンクなどを洗浄する機能を備えた洗浄装置付き吸引車に関する。
【背景技術】
【０００２】
貯留槽から工場廃液、農業廃液やし尿などの廃水や汚泥などをタンクに吸引、回収する吸引車が知られている。また、この種の吸引車では、回収処理後の貯留槽やタンクなどを洗浄するための洗浄装置を備えたものもある。
【０００３】
例えば、特許文献１に記載の吸引車は、図６に示すように、内部を水タンク９０ａ、汚泥タンク９０ｂならびに消毒液タンク９０ｃに区割したタンク９０と、汚泥タンク９０ｂ内を減圧・加圧するためのバキューム装置とを備える。また、水タンク９０ａ内の水または消毒液タンク９０ｃ内の洗浄液は、中間コック９１，９２ならびにストレーナ９３を介して１台のプランジャポンプ９４によりホース９５を介して洗浄ノズル９６より噴射されるようになっている。
【０００４】
このような吸引車によれば、貯水槽内の汚泥をバキューム装置によって吸い出して汚泥タンク９０ｂに収容し、汚泥の排出作業が終わると水タンク９０ａ内の水を中間コック９１ならびにストレーナ９３を介して高圧噴出水として洗浄ノズル９６より噴出させて、貯水槽内を洗い、続いて消毒液タンク９０ｃ内の消毒液を中間コック９１ならびにストレーナ９３を介して洗浄ノズル９６より噴出させることによって貯水槽内を消毒することが可能である。
【０００５】
【特許文献１】実開昭５３−１２８６１２号公報
【発明の開示】
【発明が解決しようとする課題】
【０００６】
ところで、図６に示すように、この吸引車では、水タンク９０ａおよび消毒液タンク９０ｃは、中間コック９１，９２およびストレーナ９３を介してプランジャポンプ９４に接続されており、中間コック９１，９２の開閉により、水あるいは消毒液が洗浄ノズル９６より噴射されるようになっている。ところが、この吸引車では、プランジャポンプ９４は直接洗浄ノズル９６に接続されており、洗浄ノズル９６から噴射される水あるいは消毒液の圧力、流量調整ができない構造となっている。
【０００７】
そこで、本発明においては、水あるいは消毒液の圧力、流量調整が容易かつ水と消毒液との切り換え操作が容易な洗浄装置付き吸引車を提供することを目的とする。
【課題を解決するための手段】
【０００８】
本発明の洗浄装置付き吸引車は、廃水または汚泥を吸引、回収する回収タンク部と、水を貯留する水タンク部と、消毒液を貯留する消毒液タンク部と、水タンク部内の水を吸引し、ホースを介して洗浄ノズルから噴出させるためのポンプと、ポンプの吐き出し圧力を制御する圧力制御弁と、水タンク部からポンプへ水を供給する水供給配管と、水タンク部へ圧力制御弁による調圧時の余水を戻す水戻し配管と、消毒液タンク部からポンプへ消毒液を供給する消毒液供給配管と、消毒液タンク部へ圧力制御弁による調圧時の余分な消毒液を戻す消毒液戻し配管と、ポンプの吸い込み側、水供給配管および消毒液供給配管に接続される第１の三方弁と、圧力制御弁のリリーフ側、水戻し配管および消毒液戻し配管に接続される第２の三方弁とを備えたものである。
【０００９】
本発明の洗浄装置付き吸引車によれば、水を洗浄ノズルから噴出させる場合には、第１の三方弁を水タンク部とポンプの吸い込み側とが水供給配管により連通される状態とし、第２の三方弁を水タンク部と圧力制御弁のリリーフ側とが水戻し配管により連通される状態として、ポンプを駆動する。これにより、水タンク部内の水は第１の三方弁により連通された水供給配管を介してポンプの吸い込み側に供給され、加圧されて、ホースを介して洗浄ノズルから噴出される。このとき、圧力制御弁による調圧時の余水は、第２の三方弁により連通された水戻し配管によって水タンク部へ戻される。
【００１０】
一方、消毒液を洗浄ノズルから噴出させる場合には、第１三方弁を消毒液タンク部とポンプの吸い込み側とが消毒液供給配管により連通される状態とし、第２の三方弁を消毒液タンク部と圧力制御弁のリリーフ側とが消毒液戻し配管により連通される状態として、ポンプを駆動する。これにより、消毒液タンク部内の消毒液は第１の三方弁により連通された消毒液供給配管を介してポンプに供給され、加圧されて、ホースを介して洗浄ノズルから噴出される。このとき、圧力制御弁による調圧時の余分な消毒液は、第２の三方弁により連通された消毒液戻し配管によって消毒液タンク部へ戻される。
【００１１】
また、本発明の洗浄装置付き吸引車は、消毒液供給配管の途中にステンレス鋼のフィルタを備えたものであることが望ましい。消毒液供給配管の途中にステンレス鋼のフィルタを備えることで、この消毒液供給配管により供給される消毒液によりフィルタが溶け出すことを防止することができ、長期に亘ってフィルタを使用することができる。
【００１２】
また、本発明の洗浄装置付き吸引車は、車体の後輪車軸上に、隔壁により内部が仕切られることによりそれぞれ回収タンク部と水タンク部とが形成された１つの主タンクが配置され、車体の前輪車軸および後輪車軸の中間部上に、消毒液タンク部を形成する補助タンクが配置されたものであることが望ましい。
【００１３】
通常、廃水または汚泥を吸引、回収する前の状態においては、水タンク部に水が貯留され、消毒液タンク部に消毒液が貯留されており、洗浄装置付き吸引車は回収タンク部を空にした状態で回収場所まで走行させる。また、廃水または汚泥を吸引、回収した後の状態においては、水タンク部の水および消毒液タンク部の消毒液の貯留量は少なく、回収タンク部には回収された廃水または汚泥が貯留されており、この状態で洗浄装置付き吸引車は走行させる。したがって、洗浄装置付き吸引車の走行時には、少なくとも１つの主タンク内の回収タンク部または水タンク部のいずれか一方には貯留されているので、この主タンクが配置されている車体の後輪車軸には最も多くの荷重が掛かっており、バランス良く吸引車を走行させることができる。
【００１４】
また、消毒液タンク部を形成する補助タンクを主タンクと切り離して車体の前輪車軸および後輪車軸の中間部上に配置しているので、補助タンクの消毒液の貯留量は走行時のバランスに与える影響が少ない。さらに、この補助タンクを主タンクと切り離しているので、補助タンクのみを消毒液の種類に応じて適切な材質のものとすることが容易であり、製造コストを抑えることが可能となる。
【００１５】
また、本発明の洗浄装置付き吸引車は、第１の三方弁が水供給配管に連通される場合には第２の三方弁が水戻し配管に連通され、第１の三方弁が消毒液供給配管に連通される場合には第２の三方弁が消毒液戻し配管に連通されるように、第１の三方弁と第２の三方弁とを連動させる連動装置を備えることが望ましい。
【００１６】
これにより、水を洗浄ノズルから噴出させる場合に、第１の三方弁を水タンク部とポンプの吸い込み側とが水供給配管により連通される状態とすると、第２の三方弁は水タンク部と圧力制御弁のリリーフ側とが水戻し配管により連通される状態となる。一方、消毒液を洗浄ノズルから噴出させる場合に、第１三方弁を消毒液タンク部とポンプの吸い込み側とが消毒液供給配管により連通される状態とすると、第２の三方弁は消毒液タンク部と圧力制御弁のリリーフ側とが消毒液戻し配管により連通される状態となる。これにより、水を洗浄ノズルから噴出させる場合には第１の三方弁および第２の三方弁に水のみが通過し、消毒液を洗浄ノズルから噴出させる場合には第１の三方弁および第２の三方弁に消毒液のみが通過するようになる。
【発明の効果】
【００１７】
（１）本発明の洗浄装置付き吸引車によれば、第１および第２の三方弁を切り換えることで、水を洗浄ノズルから噴出させる場合には、水タンク部内の水は水供給配管を介してポンプの吸い込み側に供給され、加圧されて、ホースを介して洗浄ノズルから噴出され、このときの圧力調整弁による調圧時の余水は水戻し配管によって水タンク部へ戻される。一方、消毒液を洗浄ノズルから噴出させる場合には、消毒液タンク部内の消毒液は消毒液供給配管を介してポンプの吸い込み側に供給され、加圧されて、ホースを介して洗浄ノズルから噴出され、このときの圧力制御弁による調圧時の余分な消毒液は消毒液戻し配管によって水タンク部へ戻される。したがって、本発明の洗浄装置付き吸引車では、水あるいは消毒液の圧力、流量調整を容易に行うことが可能となる。また、第１および第２の三方弁を使用することにより、水と消毒液との切り換え操作が容易となり、配管構造を簡単にすることができる。
【００１８】
（２）消毒液供給配管の途中にステンレス鋼のフィルタを備えることで、この消毒液供給配管により供給される消毒液によりフィルタが溶け出すことを防止することができ、長期に亘ってフィルタを使用することが可能となる。
【００１９】
（３）車体の後輪車軸上に、隔壁により内部が仕切られることによりそれぞれ回収タンク部と水タンク部とが形成された１つの主タンクが配置され、車体の前輪車軸および後輪車軸の中間部上に、消毒液タンク部を形成する補助タンクが配置されたものであることにより、走行時に車体の後輪車軸には最も多くの荷重が掛かり、バランス良く走行させることができる。また、消毒液タンク部を形成する補助タンクを主タンクと切り離して車体の前輪車軸および後輪車軸の中間部上に配置しているので、補助タンクの消毒液の貯留量は走行時のバランスに与える影響が少なくなり、消毒液の貯留量に拘わらず、バランス良く走行させることができる。さらに、補助タンクを主タンクと切り離しているので、補助タンクのみを消毒液の種類に応じて適切な材質のものとすることが容易であり、製造コストを抑えることが可能となる。
【００２０】
（４）第１の三方弁が水供給配管に連通される場合には第２の三方弁が前記水戻し配管に連通され、第１の三方弁が消毒液供給配管に連通される場合には第２の三方弁が消毒液戻し配管に連通されるように、第１の三方弁と第２の三方弁とを連動させる連動装置を備えることにより、水を洗浄ノズルから噴出させる場合には第１の三方弁および第２の三方弁に水のみが通過し、消毒液を洗浄ノズルから噴出させる場合には第１の三方弁および第２の三方弁に消毒液のみが通過するようになるので、水と消毒液とが混合してしまうのを防止することが可能となる。
【発明を実施するための最良の形態】
【００２１】
図１は本発明の実施の形態における洗浄装置付き吸引車の平面図、図２は側面図、図３は背面図である。図１から図３に示すように、本実施形態における洗浄装置付き吸引車１は、車台２上に、廃水または汚泥を吸引、回収する回収タンク部１０および水を貯留する水タンク部２０を構成する主タンク３と、消毒液を貯留する消毒液タンク部３０を構成する補助タンク４と、回収タンク部１０内に廃水または汚泥を吸引するため、回収タンク部１０内を減圧する吸引ポンプ５と、水タンク部２０内の水または消毒液タンク部３０内の消毒液を吸引し、ホース７０（図５参照。）を介して洗浄ノズル７１（図５参照。）から噴出させるためのポンプ６と、ホース７０が巻き付けられるホースリール７と、洗浄ノズル７１からの水または消毒液の噴出の操作を行うための操作盤８とを備える。
【００２２】
主タンク３は、略円筒状のタンクであり、隔壁３ａによって回収タンク部１０と水タンク部２０とに仕切られている。回収タンク部１０には回収された廃水や汚泥などが貯留される。一方、水タンク部２０には回収処理後の貯留槽や回収タンク部１０などを洗浄するための水が貯留される。主タンク３は、その中心軸が車体の前後方向、かつ回収タンク部１０が車体の後方側、水タンク部２０が車体の前方側となるように車体の後輪車軸Ｒ上に配置されている。主タンク３は、鋼板により形成されるが、貯留する水や回収する廃水または汚泥などによって錆びないようにステンレス鋼により形成することも可能である。
【００２３】
補助タンク４は、略円筒状のタンクであり、その中心軸が車体の左右方向となるように車体の前輪車軸Ｆおよび後輪車軸Ｒの中間部上に配置されている。補助タンク４の消毒液タンク部３０内に貯留される消毒液は、例えば消毒剤としての次亜塩素酸ナトリウムである。補助タンク４は、この貯留される消毒液に耐えうるようにポリエチレンなどの合成樹脂により形成されている。
【００２４】
吸引ポンプ５は、ベーンポンプであり、密閉された回収タンク部１０内を減圧することにより、吸引ホース９を通じて貯留槽から工場廃液、農業廃液やし尿などの廃水や汚泥などを回収タンク部１０内に吸引、収容するものである。吸引ポンプ５は、ドライブシャフト、ＰＴＯ（動力取り出し装置（Power Take OFF））を介して連結されたエンジンにより駆動される。また、この吸引ポンプ５では、逆に回収タンク部１０内を加圧して、回収タンク部１０内の貯留物を主タンク３の排出口３ｂから排出することも可能である。
【００２５】
ポンプ６は、プランジャポンプであり、水タンク部２０内の水または消毒液タンク部３０内の消毒液を吸引、加圧して、ホースリール７のホース７０を介して洗浄ノズル７１から噴出させるためのものである。ポンプ６は、その回転軸に連結された油圧モータ（図示せず。）により回転駆動される。ホースリール７および操作盤８は、車台２の後端部に搭載されている。
【００２６】
次に、図４のエアー配管図を参照して、本実施形態における洗浄装置付き吸引車１のエアー系統について説明する。図４に示すように、洗浄装置付き吸引車１のエアー系統は、吸引ポンプ５、回収タンク部１０、エアーセパレータ１１、四方弁１２、逆止弁１３、オイルセパレータ１４、ストレーナ１５、フロート式満量ストップバルブ１６、オーバーフロー防止安全弁１７や安全弁１８等により構成されている。回収タンク部１０は気密構造となっている。フロート式満量ストップバルブ１６は回収タンク部１０の上部に設けられ、オーバーフロー防止安全弁１７はエアー配管の途中に設けられている。
【００２７】
四方弁１２は、第１ポート１２ａ、第２ポート１２ｂ、第３ポート１２ｃおよび第４ポート１２ｄを有し、切換ハンドル１２ｅが加圧側へある場合、第１ポート１２ａと第２ポート１２ｂとが連通し、第３ポート１２ｃと第４ポート１２ｄとが連通する。一方、切換ハンドル１２ｅが真空側へある場合、第３ポート１２ｃと第１ポート１２ａとが連通し、第４ポート１２ｄと第２ポート１２ｂとが連通する。また、切換ハンドル１２ｅが中性側へある場合には、第４ポート１２ｄと第１ポート１２ａとが連通し、第３ポート１２ｃと第２ポート１２ｂとが連通する。
【００２８】
この四方弁１２の第１ポート１２ａは大気開放されている。第２ポート１２ｂは、逆止弁１３を介して吸引ポンプ５の吸い込み側に接続されている。第３ポート１２ｃは、オイルセパレータ１４のエアー吐き出し側に接続されている。第４ポート１２ｄは、エアーセパレータ１１を介してオーバーフロー防止安全弁１７に接続されている。安全弁１８は、エアーセパレータ１１と四方弁１２の第４ポート１２ｄとを接続する配管の途中に設けられている。
【００２９】
オイルセパレータ１４の入側は、吸引ポンプ５の吐き出し側に接続されている。また、オイルセパレータ１４のオイル取り出し側は、ストレーナ１５を介して吸引ポンプ５のオイル補給口に接続されている。
【００３０】
上記構成により、本実施形態における洗浄装置付き吸引車１では、廃水や汚泥などを回収タンク部１０に吸引する場合、切換ハンドル１２ｅを真空側へセットし、吸引ポンプ５を駆動する。これにより、回収タンク部１０内のエアーは、エアーセパレータ１１、四方弁１２の第４ポート１２ｄおよび第２ポート１２ｂ、逆止弁１３を介して吸引ポンプ５により吸引され、オイルセパレータ１４および四方弁１２の第３ポート１２ｃを介して四方弁１２の第１ポート１２ａから吐き出される。これにより、回収タンク部１０内が減圧され、吸引ホース９により廃水や汚泥などを回収タンク部１０に吸引し、回収することができる。
【００３１】
一方、回収タンク部１０内の廃水や汚泥などを排出口３ｂから排出する場合、切換ハンドル１２ｅを加圧側へセットし、吸引ポンプ５を駆動する。これにより、大気中のエアーが、四方弁１２の第１ポート１２ａおよび第２ポート１２ｂ、逆止弁１３を介して吸引ポンプ５により吸引され、オイルセパレータ１４および四方弁１２の第３ポート１２ｃおよび第４ポート１２ｄ、エアーセパレータ１１を介して回収タンク部１０内へ送り出される。これにより、回収タンク部１０内が加圧され、回収タンク部１０内の廃水や汚泥などを排出口３ｂから排出することができる。
【００３２】
なお、いずれの場合においても、吸引ポンプ５には、ストレーナ１５を介してオイルセパレータ１４からオイルが供給される。このストレーナ１５を介して吸引ポンプ５に供給されるオイルは、オイルセパレータ１４によりエアーと分離され、繰り返しストレーナ１５を介して吸引ポンプ５に供給され、再利用される。
【００３３】
次に、図５の水配管図を参照して、本実施形態における洗浄装置付き吸引車１の水系統について説明する。図５に示すように、洗浄装置付き吸引車１の水系統は、ポンプ６、水タンク部２０、第１三方弁２１ａ、第２三方弁２１ｂ、水タンク部２０からポンプ６へ水を供給する水供給配管２２、水タンク部２０へ調圧時の余水を戻す水戻し配管２３、フィルタ３１、消毒液タンク部３０、消毒液タンク部３０からポンプ６へ消毒液を供給する消毒液供給配管３２、消毒液タンク部３０へ調圧時の余分な消毒液を戻す消毒液戻し配管３３や、ポンプ６からホースリール７へ水または消毒液を供給する配管６０や、ポンプ６の吐き出し圧力を制御する圧力制御弁６１等により構成されている。
【００３４】
第１三方弁２１ａには、水供給配管２２と、消毒液供給配管３２と、ポンプ６の吸い込み側とが接続されている。フィルタ３１は、消毒液供給配管３２の途中に設けられている。第２三方弁２１ｂには、水戻し配管２３と、消毒液戻し配管３３と、圧力制御弁６１のリリーフ側とが接続されている。圧力制御弁６１は、ポンプ６の吐き出し側に設けられている。圧力制御弁６１とホースリール７との間の配管６０の途中には、圧力計６２が設けられている。
【００３５】
また、図示しないが、第１三方弁２１ａの操作部と第２三方弁２１ｂの操作部とはリンクにより連結されている。このリンクは、第１三方弁２１ａが水供給配管２２に連通される場合には第２三方弁２１ｂが水戻し配管２３に連通され、第１三方弁２１ａが消毒液供給配管３２に連通される場合には第２三方弁２１ｂが消毒液戻し配管３３に連通されるように、第１三方弁２１ａと第２三方弁２１ｂとを連動させる連動装置である。なお、リンクに代えて他の連動機構を設けることも可能である。
【００３６】
上記構成により、本実施形態における洗浄装置付き吸引車１では、第１三方弁２１ａを水タンク部２０とポンプ６の吸い込み側とが水供給配管２２により連通される状態とし、第２三方弁２１ｂを水タンク部２０と圧力制御弁６１とが水戻し配管２３により連通される状態とした場合には、水タンク部２０、水供給配管２２、ポンプ６、圧力制御弁６１および水戻し配管２３による水の調圧系統が構成される。一方、第１三方弁２１ａを消毒液タンク部３０とポンプ６の吸い込み側とが消毒液供給配管３２により連通される状態とし、第２三方弁２１ｂを消毒液タンク部３０と圧力制御弁６１とが消毒液戻し配管３３により連通される状態とした場合には、消毒液タンク部３０、消毒液供給配管３２、ポンプ６、圧力制御弁６１および消毒液戻し配管３３による消毒液の調圧系統が構成される。
【００３７】
この構成の洗浄装置付き吸引車１では、給水側に対応して三連の吸水口２４から適宜水タンク部２０内に水が吸水される。そして、水を洗浄ノズル７１から噴出させる場合、第１三方弁２１ａを水タンク部２０とポンプ６の吸い込み側とが水供給配管２２により連通される状態とし、第２三方弁２１ｂを水タンク部２０と圧力制御弁６１とが水戻し配管２３により連通される状態とする。
【００３８】
この状態においてポンプ６を駆動すると、水タンク部２０内の水は第１三方弁２１ａにより連通された水供給配管２２を介してポンプ６の吸い込み側に供給され、加圧されて、圧力制御弁６１、配管６０、ホースリール７およびホース７０を介して洗浄ノズル７１から噴出される。このとき、洗浄ノズル７１から噴出される水は、圧力制御弁６１を調整することによって調圧することが可能であり、そのときの圧力は圧力計６２に示される。また、この圧力制御弁６１による調圧時の余水は、第２三方弁２１ｂにより連通された水戻し配管２３によって水タンク部２０へ戻される。
【００３９】
一方、消毒液を洗浄ノズル７１から噴出させる場合、第１三方弁２１ａを消毒液タンク部３０とポンプ６の吸い込み側とが消毒液供給配管３２により連通される状態とし、第２三方弁２１ｂを消毒液タンク部３０と圧力制御弁６１とが消毒液戻し配管３３により連通される状態とする。
【００４０】
この状態においてポンプ６を駆動すると、消毒液タンク部３０内の消毒液は第１三方弁２１ａにより連通された消毒液供給配管３２およびフィルタ３１を介してポンプ６の吸い込み側に供給され、加圧されて、圧力制御弁６１、配管６０、ホースリール７およびホース７０を介して洗浄ノズル７１から噴出される。このとき、洗浄ノズル７１から噴出される消毒液は、圧力制御弁６１を調整することによって調圧することが可能であり、そのときの圧力は圧力計６２に示される。また、この圧力制御弁６１による調圧時の余分な消毒液は、第２三方弁２１ｂにより連通された消毒液戻し配管３３によって消毒液タンク部３０へ戻される。
【００４１】
以上のように、本実施形態における洗浄装置付き吸引車１では、第１三方弁２１ａおよび第２三方弁２１ｂを切り換えることで、水の調圧系統と消毒液の調圧系統とを容易に切り換えることが可能であり、水または消毒液の圧力および流量調整を容易に行い、洗浄ノズル７１から噴出することが可能である。したがって、本実施形態における洗浄装置付き吸引車１では、水と消毒液とを容易に切り換え、水または消毒液を適切な圧力および流量に設定して、回収処理後の貯留槽やタンクなどを洗浄したり消毒したりすることが可能である。
【００４２】
また、この洗浄装置付き吸引車１では、消毒液供給配管３２の途中にステンレス鋼のフィルタ３１を備えるので、この消毒液供給配管３２により供給される消毒液によりフィルタ３１が溶け出すことが防止されており、長期に亘ってフィルタ３１を使用することが可能である。
【００４３】
また、この洗浄装置付き吸引車１では、第１三方弁２１ａと第２三方弁２１ｂとがリンクによって連動し、水を洗浄ノズル７１から噴出させる場合には第１三方弁２１ａおよび第２三方弁２１ｂに水のみが通過し、消毒液を洗浄ノズル７１から噴出させる場合には第１三方弁２１ａおよび第２三方弁２１ｂに消毒液のみが通過するように切り換えられるので、水と消毒液とが混合してしまうのを容易に防止することが可能である。
【００４４】
また、この洗浄装置付き吸引車１では、廃水または汚泥を吸引、回収する前の状態においては、水タンク部２０に水が貯留され、消毒液タンク部３０に消毒液が貯留されており、回収タンク部１０を空にした状態で回収場所まで走行させる。また、廃水または汚泥を吸引、回収した後の状態においては、水タンク部２０の水および消毒液タンク部３０の消毒液の貯留量は少なく、回収タンク部１０には回収された廃水または汚泥が貯留されている。したがって、その走行時には、少なくとも１つの主タンク３内の回収タンク部１０または水タンク部２０のいずれか一方には必ず水等が貯留されているので、この主タンク３が配置されている車体の後輪車軸Ｒには最も多くの荷重が掛かっており、バランス良く走行させることができる。
【００４５】
また、この洗浄装置付き吸引車１では、消毒液タンク部３０を形成する補助タンク４を主タンク３と切り離して車体の前輪車軸Ｆおよび後輪車軸Ｒ中間部上に配置しているので、補助タンク４の消毒液の貯留量は走行時のバランスに与える影響が少なくなり、消毒液の貯留量に拘わらず、バランス良く走行させることができる。さらに、補助タンク４を主タンク３と切り離しているので、補助タンク４のみを消毒液の種類に応じて適切な材質のものとすることが容易であり、製造コストを抑えることが可能である。
【産業上の利用可能性】
【００４６】
本発明の洗浄装置付き吸引車は、貯留槽から工場廃液、農業廃液やし尿などの廃水や汚泥などをタンクに吸引、回収するとともに、回収処理後の貯留槽やタンクなどを洗浄するための車両として有用である。
【図面の簡単な説明】
【００４７】
【図１】本発明の実施の形態における洗浄装置付き吸引車の平面図である。
【図２】本発明の実施の形態における洗浄装置付き吸引車の側面図である。
【図３】本発明の実施の形態における洗浄装置付き吸引車の背面図である。
【図４】本発明の実施の形態における洗浄装置付き吸引車のエアー配管図である。
【図５】本発明の実施の形態における洗浄装置付き吸引車の水配管図である。
【図６】従来の洗浄装置付き吸引車の水配管図である。
【符号の説明】
【００４８】
１  洗浄装置付き吸引車
２  車台
３  主タンク
３ａ  隔壁
３ｂ  排出口
４  補助タンク
５  吸引ポンプ
６  ポンプ
７  ホースリール
８  操作盤
９  吸引ホース
１０  回収タンク部
１１  エアーセパレータ
１２  四方弁
１３  逆止弁
１４  オイルセパレータ
１５  ストレーナ
１６  フロート式満量ストップバルブ
１７  オーバーフロー防止安全弁
１８  安全弁
２０  水タンク部
２１ａ  第１三方弁
２１ｂ  第２三方弁
２２  水供給配管
２３  水戻し配管
２４  吸水口
３０  消毒液タンク部
３１  フィルタ
３２  消毒液供給配管
３３  消毒液戻し配管
６０  配管
６１  圧力制御弁
７０  ホース
７１  洗浄ノズル
【図１】
2009299295.tif 000003
【図２】
2009299295.tif 000004
【図３】
2009299295.tif 000005
【図４】
2009299295.tif 000006
【図５】
2009299295.tif 000007
【図６】
2009299295.tif 000008